(57)【要約】【課題】照明器具を制御するコントローラに、携帯端末と無線通信を行う機能を付加する。【解決手段】コントローラ１０は、照明制御装置１００と、無線ＬＡＮアダプタ７０とを備える。照明制御装置１００は、外部の照明器具６０と通信を行って照明器具６０を制御する。無線ＬＡＮアダプタ７０は、外部の携帯端末７１と無線通信を行って、照明制御装置１００と携帯端末７１との間の通信を中継する。携帯端末７１は、照明制御装置１００から通知される情報を画面に表示するとともに、当該画面にて操作が行われると、当該操作に応じて照明器具６０を制御するよう照明制御装置１００に指示する。【選択図】図３
2018037424.tif 000002
【特許請求の範囲】
【請求項１】
外部の照明器具と通信を行って前記照明器具を制御する照明制御装置と、
前記照明制御装置から通知される情報を画面に表示する外部の携帯端末であって操作が行われると前記操作に応じて前記照明器具を制御するよう前記照明制御装置に指示する外部の携帯端末と無線通信を行って、前記照明制御装置と前記携帯端末との間の通信を中継する無線通信用アダプタと
を備える無線通信用アダプタ付きコントローラ。
【請求項２】
前記無線通信用アダプタは、前記携帯端末としてスマートフォン、携帯電話機、タブレットおよびパーソナルコンピュータのうち少なくともいずれかと無線ＬＡＮ経由で通信を行う請求項１に記載の無線通信用アダプタ付きコントローラ。
【請求項３】
前記無線通信用アダプタが有線接続される信号端子台をさらに備え、
前記照明制御装置は、前記信号端子台と前記無線通信用アダプタとを介して前記携帯端末と通信を行う請求項１または２に記載の無線通信用アダプタ付きコントローラ。
【請求項４】
前記照明制御装置と前記信号端子台とを収納する本体をさらに備え、
前記無線通信用アダプタは、前記本体の外側に配置され、
前記本体には、前記信号端子台の前記無線通信用アダプタが接続される部分を露出させる開口が設けられている請求項３に記載の無線通信用アダプタ付きコントローラ。
【請求項５】
前記信号端子台には、前記照明器具がさらに接続され、
前記照明制御装置は、前記信号端子台を介して前記照明器具と通信を行う請求項３または４に記載の無線通信用アダプタ付きコントローラ。
【請求項６】
前記照明制御装置は、前記操作として、前記照明制御装置が前記照明器具を調光する動作のモードを選択する操作が行われると、前記無線通信用アダプタを介して、前記操作により選択されたモードを示す信号を受信し、受信した信号に示されているモードで前記照明器具を調光する請求項１から５のいずれか１項に記載の無線通信用アダプタ付きコントローラ。
【請求項７】
前記照明制御装置は、前記無線通信用アダプタを介して、前記照明器具の状態を通知する信号を送信して前記照明器具の状態を前記携帯端末の前記画面に表示させ、前記操作として、前記照明器具の状態を変更するよう指示する操作が行われると、前記無線通信用アダプタを介して、前記操作による指示を示す信号を受信し、受信した信号に示されている指示に従って前記照明器具を制御する請求項１から６のいずれか１項に記載の無線通信用アダプタ付きコントローラ。
【請求項８】
前記照明制御装置は、前記操作として、前記照明器具の目標出力を指定する操作が行われると、前記無線通信用アダプタを介して、前記操作により指定された目標出力を示す信号を受信し、受信した信号に示されている目標出力に応じた調光率で前記照明器具を調光する請求項１から７のいずれか１項に記載の無線通信用アダプタ付きコントローラ。
【請求項９】
前記照明制御装置は、前記操作として、前記照明器具の目標色温度を指定する操作が行われると、前記無線通信用アダプタを介して、前記操作により指定された目標色温度を示す信号を受信し、受信した信号に示されている目標色温度に応じた調光率で前記照明器具を調光する請求項１から８のいずれか１項に記載の無線通信用アダプタ付きコントローラ。
【発明の詳細な説明】
【技術分野】
【０００１】
本発明は、無線通信用アダプタ付きコントローラに関するものである。
【背景技術】
【０００２】
従来、照明器具に取り付けられた光源を調光する照明制御装置及び照明制御システムがある（例えば、特許文献１〜３参照）。
【先行技術文献】
【特許文献】
【０００３】
【特許文献１】特開２０１２−１２９０２１号公報
【特許文献２】特開２００６−２５２９４４号公報
【特許文献３】特開２００２−３６７７８８号公報
【特許文献４】特表２０１１−５２９２４９号公報
【特許文献５】特開２００４−１３４２４８号公報
【特許文献６】特開２００７−０６６７３９号公報
【特許文献７】特開２０１０−０３３７７９号公報
【特許文献８】特開２０１３−１７８９４９号公報
【発明の概要】
【発明が解決しようとする課題】
【０００４】
従来は、照明器具を制御するコントローラに、スマートフォン、携帯電話機、タブレットまたはパーソナルコンピュータといった携帯端末と無線通信を行う機能を付加することが難しいという課題があった。
【０００５】
本発明は、照明器具を制御するコントローラに、携帯端末と無線通信を行う機能を付加することを目的とする。
【課題を解決するための手段】
【０００６】
本発明の一の態様に係る無線通信用アダプタ付きコントローラは、
外部の照明器具と通信を行って前記照明器具を制御する照明制御装置と、
前記照明制御装置から通知される情報を画面に表示する外部の携帯端末であって操作が行われると前記操作に応じて前記照明器具を制御するよう前記照明制御装置に指示する外部の携帯端末と無線通信を行って、前記照明制御装置と前記携帯端末との間の通信を中継する無線通信用アダプタと
を備える。
【発明の効果】
【０００７】
本発明によれば、照明器具を制御するコントローラに、携帯端末と無線通信を行う機能を付加することが可能となる。
【図面の簡単な説明】
【０００８】
【図１】実施の形態１に係るコントローラの正面図である。
【図２】実施の形態１に係るコントローラの底面図である。
【図３】実施の形態１に係る照明制御システムの構成を示すブロック図である。
【図４】実施の形態１に係るコントローラと照明器具との接続形態の例を示す図である。
【図５】図４の例において色温度制御モードが選択される場合の照明制御装置の動作を示すフローチャートである。
【図６】実施の形態１に係るコントローラと照明器具との接続形態の別の例を示す図である。
【図７】図６の例においてバランス制御モードが選択される場合の照明制御装置の動作を示すフローチャートである。
【図８】実施の形態１に係るコントローラと照明器具との配置の例を示す図である。
【図９】図８の例における照明器具の調光率の設定例を示すグラフである。
【図１０】図６の例において昼光センサ制御モードが選択される場合の照明制御装置の動作を示すフローチャートである。
【図１１】実施の形態２に係るパラメータ記憶部の構成の一例を示す図である。
【図１２】実施の形態２に係る照明制御装置による色温度可変制御処理のフローチャートである。
【図１３】実施の形態３に係る時刻スケジュール設定部の構成の一例を示す図である。
【図１４】実施の形態３に係るシーン記憶部の構成の一例を示す図である。
【図１５】実施の形態３に係る週間スケジュールの構成の一例を示す図である。
【図１６】実施の形態３に係る年間スケジュールの構成の一例を示す図である。
【図１７】実施の形態３に係るタイマスケジュール設定部の構成の一例を示す図である。
【図１８】人感センサをトリガとしてタイマスケジュールが実行されるタイマスケジュールＴＳ２を説明するためのタイムチャートである。
【図１９】ポート単位でのスケジュール起動設定の一例を示す図である。
【図２０】ポート組合せでのスケジュール起動設定の一例を示す図である。
【図２１】ポート単位でのシーン実行設定の一例を示す図である。
【図２２】ポート組合せでのシーン実行設定一例を示す図である。
【図２３】接点に対する優先順位の一例を示す図である。
【図２４】ポート単位でのシーン実行状態出力の一例を示す図である。
【図２５】ポート組合せでのシーン実行状態出力の一例を示す図である。
【図２６】図６の例において昼光センサ制御モードが選択される場合の照明制御装置の動作の変形例を示すグラフである。
【発明を実施するための形態】
【０００９】
以下、本発明の実施の形態について、図を用いて説明する。
【００１０】
実施の形態１．
図１は、本実施の形態に係るコントローラ１０の正面図である。図２は、コントローラ１０の底面図である。
【００１１】
コントローラ１０は、部屋の天井に埋め込んで使用される。
【００１２】
図１及び図２に示すように、コントローラ１０は、本体１１、電源端子台１２、信号端子台１３、運転ＬＥＤ１４、人感ＬＥＤ１５、出力ＬＥＤ１６、光Ｉ／Ｆ部１７、照度センサ３００、人感センサ４００を備える。
【００１３】
本体１１は、下端部が円盤状に形成され、その他の部分が下端部よりも外周が小さい円柱状に形成されている。コントローラ１０が天井に埋め込まれた状態では、本体１１の下端部のみが天井から露出する。本体１１の円柱状の部分は、内部にコントローラ１０の各構成要素を収納するための空間が形成されている。
【００１４】
図３は、本実施の形態に係る照明制御システム９００の構成を示すブロック図である。
【００１５】
図３に示すように、照明制御システム９００において、コントローラ１０は、前述した電源端子台１２、信号端子台１３、照度センサ３００、人感センサ４００のほか、照明制御装置１００、電源回路２００、増幅回路３１０，４１０、接点入出力回路５００、ＰＷＭ増幅回路６００、有線送受信回路７００、無線送受信回路８００を備える。
【００１６】
電源回路２００は、電源端子台１２を介して外部の電源（例えば、商用電源）に接続される。電源回路２００は、外部の電源から入力される電力を照明制御装置１００に供給する。
【００１７】
照度センサ３００は、周囲の照度を測定する。照度センサ３００は、照度の測定値に対応する電圧を、増幅回路３１０を介して照明制御装置１００に入力する。増幅回路３１０は、照度センサ３００から照明制御装置１００に入力される電圧を増幅することで、ゲインを調整する。図２に示すように、照度センサ３００は、本体１１の下端部から露出するように本体１１の内部に収納される。なお、照度センサ３００は、本体１１の外部に設置されてもよい。また、照度センサ３００は、１つだけでなく、複数設置されてもよい。
【００１８】
人感センサ４００は、周囲の人の在／不在を検知する。人感センサ４００は、検知した在／不在に対応する電圧を、増幅回路４１０を介して照明制御装置１００に入力する。増幅回路４１０は、人感センサ４００から照明制御装置１００に入力される電圧を増幅することで、ゲインを調整する。図２に示すように、人感センサ４００は、本体１１の下端部から露出するように本体１１の内部に収納される。なお、人感センサ４００は、本体１１の外部に設置されてもよい。また、人感センサ４００は、１つだけでなく、複数設置されてもよい。コントローラ１０は、人感センサ４００を備えていなくてもよい。
【００１９】
接点入出力回路５００は、信号端子台１３の２つのポート５１０，５２０を介して外部の接点１及び接点２に接続される。接点入出力回路５００は、ポート５１０，５２０のそれぞれについて、入力と出力とを切り替える。接点入出力回路５００は、ポート５１０を入力用に設定した場合、接点１の開閉状態（アクティブ／非アクティブ）を示す信号を照明制御装置１００に入力し、ポート５１０を出力用に設定した場合、接点１の開閉状態を制御する。同様に、接点入出力回路５００は、ポート５２０を入力用に設定した場合、接点２の開閉状態を示す信号を照明制御装置１００に入力し、ポート５２０を出力用に設定した場合、接点２の開閉状態を制御する。
【００２０】
ＰＷＭ増幅回路６００は、信号端子台１３の２つのポート６１０，６２０（照明器具６０を接続するための第１端子及び第２端子）を介して外部の照明器具６０に接続される。後述するように、ポート６１０，６２０は、両方とも同じ照明器具６０に接続することもできるし、それぞれ別々の照明器具６０に接続することもできる。ＰＷＭ増幅回路６００は、照明制御装置１００から出力される調光用のＰＷＭ信号を増幅して照明器具６０に送信する。
【００２１】
照明器具６０は、ＬＥＤ、蛍光灯、有機ＥＬ、あるいは、その他の光源と、この光源を点灯させる点灯回路とを備えた器具である。照明器具６０は、ＰＷＭ増幅回路６００から送信されるＰＷＭ信号に応じて、光源を点灯又は消灯したり、光源の明るさ（出力）を変えたりする。
【００２２】
有線送受信回路７００は、信号端子台１３のポート７１０を介して外部の無線ＬＡＮアダプタ７０に接続される。有線送受信回路７００は、例えば、ＲＳ４８５インタフェースを用いて無線ＬＡＮアダプタ７０と通信する。無線ＬＡＮアダプタ７０は、無線ＬＡＮを介して携帯端末７１（例えば、スマートフォン、携帯電話機、タブレット、パーソナルコンピュータ）と接続する。有線送受信回路７００は、照明制御装置１００から出力される状態通知（モニタリング）用の信号又はその他の信号を無線ＬＡＮアダプタ７０に送信する。無線ＬＡＮアダプタ７０は、有線送受信回路７００から送信された信号を受信し、携帯端末７１に送信する。また、無線ＬＡＮアダプタ７０は、携帯端末７１から送信されるデータ設定用の信号、照明制御用の信号、又は、その他の信号を受信し、有線送受信回路７００に送信する。有線送受信回路７００は、無線ＬＡＮアダプタ７０から送信された信号を受信し、照明制御装置１００に入力する。
【００２３】
無線送受信回路８００は、照明制御装置１００から出力される状態通知用の信号又はその他の信号を、光Ｉ／Ｆ部１７を介して遠隔制御装置８０（リモートコントローラ）に送信する。また、無線送受信回路８００は、遠隔制御装置８０から送信されるデータ設定用の信号、照明制御（点灯、消灯、調光等）用の信号、又は、その他の信号を、光Ｉ／Ｆ部１７を介して受信し、照明制御装置１００に入力する。図２に示すように、光Ｉ／Ｆ部１７は、本体１１の下端部から露出するように本体１１の内部に収納される。なお、光Ｉ／Ｆ部１７は、本体１１の外部に設置されてもよい。
【００２４】
図示していないが、コントローラ１０は、さらに、壁スイッチに接続されてもよい。壁スイッチは、照明器具６０の点灯制御や調光制御のためにユーザによって操作される（例えば、点灯用又は消灯用のボタンが押されたり、調光用のダイヤルが回されたりする）。
【００２５】
照明制御装置１００は、照度センサ３００で測定された照度、人感センサ４００で検知された人の在／不在、携帯端末７１又は遠隔制御装置８０による設定、壁スイッチの操作等に応じて、照明器具６０の点滅（点灯／消灯）状態及び調光状態を制御する。
【００２６】
照明制御装置１００は、前述した運転ＬＥＤ１４（例えば、赤色ＬＥＤ）で、運転状態を表示する。例えば、動作中は運転ＬＥＤ１４を点灯させ、点検中は運転ＬＥＤ１４を点滅させ、停止中は運転ＬＥＤ１４を消灯させる。
【００２７】
照明制御装置１００は、前述した人感ＬＥＤ１５（例えば、緑色ＬＥＤ）で、人感センサ４００による人の在／不在の検知状態を表示する。例えば、在検知時は人感ＬＥＤ１５を点灯させ、不在検知時は人感ＬＥＤ１５を消灯させる。
【００２８】
照明制御装置１００は、前述した出力ＬＥＤ１６（例えば、黄色ＬＥＤ）で、異常発生の有無を表示する。例えば、異常発生時は出力ＬＥＤ１６を点灯させ、それ以外のときは出力ＬＥＤ１６を消灯させる。
【００２９】
照明制御装置１００は、入力部１１０、計算部１２０、制御部１３０、タイマ部１４０、記憶部１５０を備える。
【００３０】
照明制御装置１００は、例えば、マイクロコンピュータであり、図示していないＣＰＵを備える。ＣＰＵは、バス等を介して、記憶部１５０等、他のハードウェアデバイスと接続され、それらのハードウェアデバイスを制御する。
【００３１】
入力部１１０、計算部１２０、制御部１３０、タイマ部１４０は、ソフトウェアで実現される。
【００３２】
記憶部１５０は、フラッシュメモリ、ＲＯＭ、ＲＡＭ等、あるいは、これらの組み合わせである。記憶部１５０には、上記ソフトウェアがプログラムとして記憶される。即ち、記憶部１５０には、入力部１１０、計算部１２０、制御部１３０、タイマ部１４０の処理（機能）を実行するプログラムが記憶される。このプログラムは、ＣＰＵにより読み出されて実行される。記憶部１５０には、さらに、入力部１１０、計算部１２０、制御部１３０、タイマ部１４０によって演算、加工、読み取り、書き込み、利用、入力、出力等が行われるデータが記憶される。
【００３３】
なお、入力部１１０、計算部１２０、制御部１３０、タイマ部１４０は、ハードウェアのみ、あるいは、ソフトウェアとハードウェアとの組み合わせで実現されてもよい。
【００３４】
以下では、本実施の形態に係る照明制御装置１００の動作（即ち、本実施の形態に係る照明制御方法、本実施の形態に係る照明制御プログラムの処理手順）について説明する。
【００３５】
本実施の形態において、照明制御装置１００が照明器具６０を調光する動作（調光出力制御）には、以下の４つのモードがある。
【００３６】
（１）色温度制御モード：信号端子台１３のポート６１０，６２０（第１端子及び第２端子）が１台（又は１群）の照明器具６０（第３照明器具）に接続された状態で用いられる。ポート６１０，６２０の出力を使用し、照明器具６０の白色ＬＥＤ（第１光源）と電球色ＬＥＤ（第２光源）を制御することにより、照明器具６０の明るさ（出力）と色温度を制御する。色温度制御モードでは、ユーザが携帯端末７１又は遠隔制御装置８０を用いて自動運転と手動運転を切り替えることができる。自動運転が設定された場合、照明制御装置１００は、自動的に設定した照明器具６０の目標の明るさ（目標出力）と目標色温度に合わせて照明器具６０の白色ＬＥＤと電球色ＬＥＤを調光する。一方、手動運転が設定された場合、照明制御装置１００は、ユーザが携帯端末７１、遠隔制御装置８０、壁スイッチ等により設定した照明器具６０の目標の明るさと目標色温度に合わせて照明器具６０の白色ＬＥＤと電球色ＬＥＤを調光する。
【００３７】
（２）バランス制御モード：信号端子台１３のポート６１０（第１端子）が１台（又は１群）の照明器具６０（第１照明器具）に接続され、ポート６２０（第２端子）が別の１台（又は１群）の照明器具６０（第２照明器具）に接続された状態で用いられる。ポート６１０，６２０の出力が照度センサ３００のセンサ電圧に追従して動作する適正照度維持制御（昼光利用制御）を行う。付加機能としてポート６２０の出力をポート６１０の出力の指定した比率で制御するバランス制御を行う。デフォルト設定の比率は１００％（ポート６１０の出力＝ポート６２０の出力）とする。バランス制御モードでも、ユーザが携帯端末７１又は遠隔制御装置８０を用いて自動運転と手動運転を切り替えることができる。自動運転が設定された場合、照明制御装置１００は、バランス制御モードで動作する。手動運転が設定された場合、照明制御装置１００は、バランス制御モードの動作を停止し、ユーザが携帯端末７１、遠隔制御装置８０、壁スイッチ等により設定した各照明器具６０の目標の明るさ（目標出力）で各照明器具６０を調光する。なお、照明制御装置１００は、手動運転から自動運転に切り替えられた後、目標の明るさが設定されるまでは、現状の調光率を維持する。
【００３８】
（３）昼光センサ制御モード：バランス制御モードと同様に、信号端子台１３のポート６１０（第１端子）が１台（又は１群）の照明器具６０（第１照明器具）に接続され、ポート６２０（第２端子）が別の１台（又は１群）の照明器具６０（第２照明器具）に接続された状態で用いられる。昼光量に応じてポート６１０，６２０の出力を制御する。昼光センサ制御モードの動作の開始時は、予め設定された共通の調光率で各照明器具６０を調光する。その後、照度センサ３００のセンサ電圧から昼光量の変化を監視し、ポート６１０の出力用に予め設定された昼光制御量（調光率を１％下げるための昼光量）分の増加が生じた場合、現状よりも１％低い調光率でポート６１０の出力先の照明器具６０を調光する。同様に、ポート６２０の出力用に予め設定された昼光制御量（調光率を１％下げるための昼光量）分の増加が生じた場合、現状よりも１％低い調光率でポート６２０の出力先の照明器具６０を調光する。昼光センサ制御モードでも、ユーザが携帯端末７１又は遠隔制御装置８０を用いて自動運転と手動運転を切り替えることができる。自動運転が設定された場合、照明制御装置１００は、昼光センサ制御モードで動作する。手動運転が設定された場合、照明制御装置１００は、昼光センサ制御モードの動作を停止し、ユーザが携帯端末７１、遠隔制御装置８０、壁スイッチ等により設定した各照明器具６０の目標の明るさ（目標出力）で各照明器具６０を調光する。なお、照明制御装置１００は、手動運転から自動運転に切り替えられた後、目標の明るさが設定されるまでは、現状の調光率を維持する。
【００３９】
（４）個別制御モード：バランス制御モード及び昼光センサ制御モードと同様に、信号端子台１３のポート６１０（第１端子）が１台（又は１群）の照明器具６０（第１照明器具）に接続され、ポート６２０（第２端子）が別の１台（又は１群）の照明器具６０（第２照明器具）に接続された状態で用いられる。ポート６１０の出力先の照明器具６０については、ユーザが携帯端末７１又は遠隔制御装置８０を用いて照度一定制御とタイマ制御と調光率一定制御を切り替えることができる。照度一定制御が設定された場合、照明制御装置１００は、照度センサ３００のセンサ電圧から昼光量の変化を監視し、照度が一定になるようにポート６１０の出力先の照明器具６０を調光する。タイマ制御が設定された場合、照明制御装置１００は、累積運転時間に応じて補正した調光率でポート６１０の出力先の照明器具６０を調光する。即ち、照明制御装置１００は、初期照度補正を行う。調光率一定制御が設定された場合、照明制御装置１００は、予め設定された調光率でポート６１０の出力先の照明器具６０を調光する。ポート６２０の出力先の照明器具６０については、ユーザが携帯端末７１又は遠隔制御装置８０を用いてタイマ制御と調光率一定制御を切り替えることができる。個別制御モードでも、ユーザが携帯端末７１又は遠隔制御装置８０を用いて自動運転と手動運転を切り替えることができる。自動運転が設定された場合、照明制御装置１００は、個別制御モードで動作する。手動運転が設定された場合、照明制御装置１００は、個別制御モードの動作を停止し、ユーザが携帯端末７１、遠隔制御装置８０、壁スイッチ等により設定した各照明器具６０の目標の明るさ（目標出力）で各照明器具６０を調光する。なお、照明制御装置１００は、手動運転から自動運転に切り替えられた後、目標の明るさが設定されるまでは、現状の調光率を維持する。
【００４０】
図４は、コントローラ１０と照明器具６０との接続形態の例を示す図である。
【００４１】
図４の例では、照明器具６０（第３照明器具）に、図示していない白色ＬＥＤ及び電球色ＬＥＤ（互いに色温度が異なる第１光源及び第２光源）が取り付けられており、この照明器具６０が信号端子台１３のポート６１０（第１端子）とポート６２０（第２端子）との両方に接続された状態になっている。照明器具６０は、ポート６１０，６２０に１台が直接接続され、その１台を介してポート６１０，６２０に他の１台が間接的に接続され、（もしあれば）その他も順次接続されている。
【００４２】
図５は、図４の例において色温度制御モードが選択される場合の照明制御装置１００の動作を示すフローチャートである。
【００４３】
ユーザが、携帯端末７１（外部の装置）の画面にて色温度制御モードを選択し、照明器具６０の目標出力（例えば、５０％）と目標色温度（例えば、４０００Ｋ）とを指定したとする。この場合、携帯端末７１は、色温度制御モードの設定を指示するとともに目標出力及び目標色温度を指定する信号を、色温度制御モード設定信号として無線ＬＡＮアダプタ７０経由でコントローラ１０に送信する。あるいは、ユーザが、遠隔制御装置８０（外部の装置）の画面にて色温度制御モードを選択し、照明器具６０の目標出力（例えば、５０％）と目標色温度（例えば、４０００Ｋ）とを指定したとする。この場合、遠隔制御装置８０は、色温度制御モード設定信号をコントローラ１０に送信する。
【００４４】
図５のステップＳ１１１において、照明制御装置１００の入力部１１０は、携帯端末７１あるいは遠隔制御装置８０から、有線送受信回路７００あるいは無線送受信回路８００を介して、色温度制御モード設定信号を入力する。照明制御装置１００の制御部１３０は、入力された色温度制御モード設定信号に応じて、色温度制御モードの処理を開始する。前述したように、色温度制御モード設定信号は、照明器具６０の目標出力及び目標色温度を示す信号である。
【００４５】
図５のステップＳ１１２において、照明制御装置１００の計算部１２０は、照明器具６０の白色ＬＥＤ及び電球色ＬＥＤのそれぞれについて、ステップＳ１１１で入力された目標出力及び目標色温度に応じた調光率を算出する。例えば、照明器具６０の白色ＬＥＤの色温度が５０００Ｋ、電球色ＬＥＤの色温度が３０００Ｋ、ステップＳ１１１で入力された目標出力が５０％、目標色温度が４０００Ｋであれば、計算部１２０は、白色ＬＥＤの調光率２５％、電球色ＬＥＤの調光率２５％を算出する。なお、白色ＬＥＤと電球色ＬＥＤとで最大光束が異なる場合、計算部１２０は、後述する実施の形態２のように、最大光束の差異を考慮して、白色ＬＥＤ及び電球色ＬＥＤの調光率を算出してもよい。
【００４６】
図５のステップＳ１１３において、制御部１３０は、照明器具６０の白色ＬＥＤについてステップＳ１１２で算出された調光率で照明器具６０の白色ＬＥＤを調光するためのＰＷＭ信号（調光信号）を生成してポート６１０から出力する。また、制御部１３０は、照明器具６０の電球色ＬＥＤについてステップＳ１１２で算出された調光率で照明器具６０の電球色ＬＥＤを調光するためのＰＷＭ信号（調光信号）を生成してポート６２０から出力する。これにより、制御部１３０は、照明器具６０の出力及び色温度を制御する。即ち、制御部１３０は、照明器具６０を調光する。
【００４７】
色温度制御モードでは、上記のような動作により、照明器具６０の出力及び色温度を所望の出力及び色温度に調整することができる。
【００４８】
なお、ここで説明した動作は手動運転が設定された場合のものである。自動運転が設定された場合、ステップＳ１１１では、照明器具６０の目標出力及び目標色温度が入力されず、ステップＳ１１２では、照明制御装置１００の記憶部１５０に予め記憶されている目標出力（例えば、５０％）及び目標色温度（例えば、４０００Ｋ）に応じた調光率が算出される。
【００４９】
図６は、コントローラ１０と照明器具６０との接続形態の別の例を示す図である。
【００５０】
図６の例では、１群の照明器具６０（第１照明器具）が信号端子台１３のポート６１０（第１端子）に接続され、他の１群の照明器具６０（第２照明器具）が信号端子台１３のポート６２０（第２端子）に接続された状態になっている。１群において、照明器具６０は、ポート６１０に１台が直接接続され、その１台を介してポート６１０に他の１台が間接的に接続され、（もしあれば）その他も順次接続されている。他の１群においても、照明器具６０は、ポート６２０に１台が直接接続され、その１台を介してポート６２０に他の１台が間接的に接続され、（もしあれば）その他も順次接続されている。
【００５１】
図７は、図６の例においてバランス制御モードが選択される場合の照明制御装置１００の動作を示すフローチャートである。図８は、コントローラ１０と照明器具６０との配置の例を示す図である。図９は、図８の例における照明器具６０の調光率の設定例を示すグラフである。
【００５２】
ユーザが、携帯端末７１（外部の装置）の画面にてバランス制御モードを選択したとする。この場合、携帯端末７１は、バランス制御モードの設定を指示する信号を、バランス制御モード設定信号として無線ＬＡＮアダプタ７０経由でコントローラ１０に送信する。あるいは、ユーザが、遠隔制御装置８０（外部の装置）の画面にてバランス制御モードを選択したとする。この場合、遠隔制御装置８０は、バランス制御モード設定信号をコントローラ１０に送信する。
【００５３】
照明制御装置１００の入力部１１０は、携帯端末７１あるいは遠隔制御装置８０から、有線送受信回路７００あるいは無線送受信回路８００を介して、バランス制御モード設定信号を入力する。照明制御装置１００の制御部１３０は、入力されたバランス制御モード設定信号に応じて、バランス制御モードの処理を開始する。
【００５４】
バランス制御モードの処理は、照明制御装置１００が、開口部（例えば、窓、ガラス扉）から外光が入る部屋の中の第１領域に設置された照明器具６０（第１照明器具）と、その部屋の中で第１領域より開口部から遠い第２領域に設置された照明器具６０（第２照明器具）との両方を調光する場合に有用である。ここでは、１つの例として、図８に示すように、コントローラ１０（の少なくとも照度センサ３００）が部屋の窓際に設置され、窓に近い制御エリア１が第１領域、窓から遠い制御エリア２が第２領域になっているとする。図８には示していないが、制御エリア１には、ポート６１０に接続された照明器具６０（第１照明器具）が設置され、制御エリア２には、ポート６２０に接続された照明器具６０（第２照明器具）が設置されているものとする。
【００５５】
図７のステップＳ１２１において、入力部１１０は、制御エリア１に設置された照度センサ３００から、制御エリア１の照度の測定値を入力する。
【００５６】
図７のステップＳ１２２において、照明制御装置１００の計算部１２０は、制御エリア１に設置された照明器具６０について、ステップＳ１２１で入力された照度の測定値に応じて変化させた調光率を算出する。また、計算部１２０は、制御エリア２に設置された照明器具６０について、制御エリア１に設置された照明器具６０の調光率の変化量に対して一定の比率の変化量で変化させた調光率を算出する。この比率は、予め設定され、照明制御装置１００の記憶部１５０に記憶されているものとする。例えば、図９に示すように、制御エリア１及び制御エリア２に設置された照明器具６０の現在（変更前）の調光率が７０％、制御エリア１に設置された照明器具６０の現在の照度に適した調光率が３０％、記憶部１５０に記憶されている比率が２５％であれば、計算部１２０は、制御エリア１に設置された照明器具６０の調光率３０％、制御エリア２に設置された照明器具６０の調光率６０％（＝７０％−（（７０％−３０％）×０．２５））を算出する。
【００５７】
図７のステップＳ１２３において、制御部１３０は、制御エリア１に設置された照明器具６０についてステップＳ１２２で算出された調光率で制御エリア１に設置された照明器具６０を調光するためのＰＷＭ信号（調光信号）を生成してポート６１０から出力する。また、制御部１３０は、制御エリア２に設置された照明器具６０についてステップＳ１１２で算出された調光率で制御エリア２に設置された照明器具６０を調光するためのＰＷＭ信号（調光信号）を生成してポート６２０から出力する。これにより、制御部１３０は、制御エリア１に設置された照明器具６０と制御エリア２に設置された照明器具６０との出力を制御する。即ち、制御部１３０は、制御エリア１に設置された照明器具６０と制御エリア２に設置された照明器具６０とを調光する。
【００５８】
上記の動作は、バランス制御モードが選択されている間は繰り返し行われる。
【００５９】
バランス制御モードでは、上記のように、制御部１３０が、制御エリア１の照度に応じて、制御エリア１に設置された照明器具６０の調光率を変化させるとともに、制御エリア１に設置された照明器具６０の調光率の変化量に対して一定の比率の変化量で、制御エリア２に設置された照明器具６０の調光率を変化させる。このため、制御エリア１の照度を測定するだけで、制御エリア２に設置された照明器具６０も適切に調光することが可能となる。
【００６０】
窓に近い制御エリア１と比べて、窓から遠い制御エリア２では、外光の量が照度に与える影響は小さいと考えられるため、記憶部１５０に記憶される比率は、１００％より低く設定されることが望ましい。
【００６１】
記憶部１５０に記憶される比率は、外部から設定できることが望ましい。例えば、入力部１１０は、携帯端末７１あるいは遠隔制御装置８０から、有線送受信回路７００あるいは無線送受信回路８００を介して、記憶部１５０に記憶される比率の設定を入力するものとする。
【００６２】
調光率には上限値が設定されることが望ましい。例えば、制御部１３０は、制御エリア１に設置された照明器具６０の調光率が予め設定された上限値に達している場合、入力部１１０で入力された照度の測定値が低下しても、制御エリア１に設置された照明器具６０の調光率を変化させないものとする。
【００６３】
なお、ここで説明した動作は自動運転が設定された場合のものである。手動運転が設定された場合、ステップＳ１２１では、照明器具６０の目標出力（例えば、５０％）が入力され、ステップＳ１２２では、入力された目標出力に応じた調光率（例えば、５０％）が算出される。
【００６４】
また、ここで説明した例では、第２領域が制御エリア２のみであるが、第２領域が複数存在しても構わない。第２領域が複数存在する場合、記憶部１５０に記憶される比率は、第２領域のそれぞれに対して個別に設定されることが望ましい。そして、この比率は、第２領域が窓から遠いほど低く設定されることがより望ましい。例えば、図７の例において、窓に近い順に、制御エリア１、制御エリア２、制御エリア３、制御エリア４が存在していたとする。この場合、信号端子台１３には、ポート６１０，６２０とは別に、制御エリア３及び制御エリア４用の２つのポートが設けられるものとする。記憶部１５０に記憶される比率は、例えば、制御エリア２が７５％、制御エリア３が５０％、制御エリア４が２５％となる。
【００６５】
図１０は、図６の例において昼光センサ制御モードが選択される場合の照明制御装置１００の動作を示すフローチャートである。
【００６６】
ユーザが、携帯端末７１（外部の装置）の画面にて昼光センサ制御モードを選択したとする。この場合、携帯端末７１は、昼光センサ制御モードの設定を指示する信号を、昼光センサ制御モード設定信号として無線ＬＡＮアダプタ７０経由でコントローラ１０に送信する。あるいは、ユーザが、遠隔制御装置８０（外部の装置）の画面にて昼光センサ制御モードを選択したとする。この場合、遠隔制御装置８０は、昼光センサ制御モード設定信号をコントローラ１０に送信する。
【００６７】
照明制御装置１００の入力部１１０は、携帯端末７１あるいは遠隔制御装置８０から、有線送受信回路７００あるいは無線送受信回路８００を介して、昼光センサ制御モード設定信号を入力する。照明制御装置１００の制御部１３０は、入力された昼光センサ制御モード設定信号に応じて、昼光センサ制御モードの処理を開始する。
【００６８】
昼光センサ制御モードの処理は、照明制御装置１００が、開口部（例えば、窓、ガラス扉）から外光が入る部屋の中に設置されたベースライト、ダウンライト、シーリングライト、あるいは、これらの組み合わせである１群の照明器具６０（第１照明器具）と、主にスポットライトである他の１群の照明器具６０（第２照明器具）との両方を調光する場合に有用である。ここでは、１つの例として、コントローラ１０（の少なくとも照度センサ３００）が部屋の窓際に設置され、その部屋の中に、ポート６１０に接続されたベースライト（第１照明器具）と、ポート６２０に接続されたスポットライトが設置されているものとする。
【００６９】
照明制御装置１００の記憶部１５０には、ベースライトの調光率を一定量（例えば、１％）変化させる条件として、部屋の中の照度の変化量（例えば、１００ｌｘ）が第１変化量として記憶されている。また、記憶部１５０には、スポットライトの調光率を一定量（例えば、１％）変化させる条件として、部屋の中の照度の変化量（例えば、１０００ｌｘ）が第２変化量として記憶されている。
【００７０】
図１０のステップＳ１３１において、入力部１１０は、制御エリア１に設置された照度センサ３００から、制御エリア１の照度の測定値を入力する。
【００７１】
図１０のステップＳ１３２において、制御部１３０は、ステップＳ１３１で入力された照度の測定値が初期照度と比べて、記憶部１５０に記憶された第１変化量変化したかどうかを判定する。１度でも変化したと判定していた場合、それ以降、制御部１３０は、ステップＳ１３１で入力された照度の測定値が、前回第１変化量変化したと判定したときの照度と比べて、第１変化量変化したかどうかを判定する。例えば、初期照度が１０００ｌｘ、第１変化量が１００ｌｘであれば、制御部１３０は、最初は照度が１１００ｌｘに上昇したときに、第１変化量変化したと判定し、その後は照度が１２００ｌｘに上昇したとき又は１０００ｌｘに低下したときに、第１変化量変化したと判定する。制御部１３０は、最初は照度が９００ｌｘに低下したときにも、第１変化量変化したと判定し、その後は照度が１０００ｌｘに上昇したとき又は８００ｌｘに低下したときに、第１変化量変化したと判定する。第１変化量変化したと判定した場合、ステップＳ１３３に進む。第１変化量変化していないと判定した場合、ステップＳ１３４に進む。
【００７２】
図１０のステップＳ１３３において、照明制御装置１００の計算部１２０は、ベースライトについて、一定量変化させた調光率を算出する。例えば、ベースライトの現在（変更前）の調光率が７０％、初期照度あるいは前回第１変化量変化したと判定されたときの照度が１０００ｌｘ、ステップＳ１３２で照度が１００ｌｘ上昇したと判定されたとすると、計算部１２０は、ベースライトの調光率６９％（＝７０％−１％）を算出する。
【００７３】
図１０のステップＳ１３４において、制御部１３０は、ステップＳ１３１で入力された照度の測定値が初期照度と比べて、記憶部１５０に記憶された第２変化量変化したかどうかを判定する。１度でも変化したと判定していた場合、それ以降、制御部１３０は、ステップＳ１３１で入力された照度の測定値が、前回第２変化量変化したと判定したときの照度と比べて、第２変化量変化したかどうかを判定する。第２変化量変化したと判定した場合、ステップＳ１３５に進む。第２変化量変化していないと判定した場合、ステップＳ１３６に進む。
【００７４】
図１０のステップＳ１３５において、計算部１２０は、スポットライトについて、一定量変化させた調光率を算出する。
【００７５】
図１０のステップＳ１３６において、制御部１３０は、ステップＳ１３３で算出された調光率（今回調光率が算出されていない場合は前回の調光率を維持する）でベースライトを調光するためのＰＷＭ信号（調光信号）を生成してポート６１０から出力する。また、制御部１３０は、ステップＳ１３５で算出された調光率（今回調光率が算出されていない場合は前回の調光率を維持する）でスポットライトを調光するためのＰＷＭ信号（調光信号）を生成してポート６２０から出力する。これにより、制御部１３０は、ベースライトとスポットライトとの出力を制御する。即ち、制御部１３０は、ベースライトとスポットライトとを調光する。
【００７６】
上記の動作は、昼光センサ制御モードが選択されている間は繰り返し行われる。
【００７７】
昼光センサ制御モードでは、上記のように、制御部１３０が、部屋の照度が第１変化量変化する度に、ベースライトの調光率を一定量変化させ、部屋の照度が第２変化量変化する度に、スポットライトの調光率を一定量変化させる。このため、外光の量に合わせるだけでなく、照明器具６０の用途にも合わせて照明器具６０を調光することが可能となる。
【００７８】
部屋を全体的に照らす用途のベースライトと比べて、特定の対象物を照らす用途のスポットライトは、部屋の照度に合わせて調光する必要性がほとんどないと考えられるため、記憶部１５０に記憶される第１変化量は、記憶部１５０に記憶される第２変化量より少なく設定されることが望ましい。あるいは、第２変化量を記憶部１５０に記憶せず、制御部１３０が、スポットライトの調光率を固定することが望ましい。
【００７９】
記憶部１５０に記憶される第１変化量及び第２変化量は、外部から設定できることが望ましい。例えば、入力部１１０は、携帯端末７１あるいは遠隔制御装置８０から、有線送受信回路７００あるいは無線送受信回路８００を介して、記憶部１５０に記憶される第１変化量及び第２変化量の設定を入力するものとする。
【００８０】
調光率には上限値が設定されることが望ましい。例えば、制御部１３０は、照明器具６０の調光率が予め設定された上限値に達している場合、入力部１１０で入力された照度の測定値が低下しても、照明器具６０の調光率を変化させないものとする。
【００８１】
ベースライトを、大きな部屋に設置された照明器具６０に置き換え、スポットライトを、小さな部屋（例えば、トイレ）に設置された照明器具６０に置き換えてもよい。
【００８２】
なお、ここで説明した動作は自動運転が設定された場合のものである。手動運転が設定された場合、ステップＳ１３１では、照明器具６０の目標出力（例えば、５０％）が入力され、ステップＳ１３２〜Ｓ１３５では、入力された目標出力に応じた調光率（例えば、５０％）が算出される。
【００８３】
ここで、初期照度の設定方法について説明する。
【００８４】
初期照度を設定する際には、まず、照度センサ３００に人工光（照明器具６０からの光）が入らないように、照度センサ３００に仕切りを設けたり、照明器具６０を消灯したりした状態で、昼光（外光）が入る時間帯に照度センサ３００を用いて照度を測定する。これにより、照度センサ３００から照度の測定値に対応する電圧（例えば、２Ｖ）が出力される。このとき、別途、照度測定器に人工光が入らないようにした状態で、照度測定器を用いて照度を測定する。これにより、照度測定器から照度の測定値（例えば、５００ｌｘ）が得られる。
【００８５】
次に、携帯端末７１あるいは遠隔制御装置８０を用いて、照度測定器から得られた照度の測定値を照明制御装置１００に入力し、照度センサ３００のゲインを調整する（例えば、１．５Ｖの電圧が出力されるように調整する）。そして、初期照度（例えば、１０００ｌｘ）を設定する（ゲインを調整したことにより、初期照度を１．５Ｖ／５００ｌｘ×１０００ｌｘ＝３Ｖに対応させることができる）。
【００８６】
上記のように設定した初期照度からの照度の変化に合わせて照明器具６０を調光する（例えば、外光が明るくなった場合に、調光率を７０％より低くする）ことで、省エネ効果を得ることができる。
【００８７】
昼光センサ制御モードを使用する場合、初期照度を設定する際だけでなく、それ以降も常に（即ち、照明制御システム９００を実際に使用する際に）、照度センサ３００に人工光（照明器具６０からの光）が入らないようにすることが望ましい。前述したように、コントローラ１０（の少なくとも照度センサ３００）が部屋の窓際に設置されていれば、照度センサ３００に仕切りを設けたり、照明器具６０を消灯したりしなくても、照度センサ３００に入る人工光の量を少なくすることができると考えられる。コントローラ１０（の少なくとも照度センサ３００）の周辺に照明器具６０を設置しなければ、照度センサ３００に入る人工光の量をさらに少なくすることができる。
【００８８】
上記のように、照度センサ３００を昼光のみ測定する場所（例えば、窓際、あるいは、小部屋等、照明器具６０と仕切られた場所）に設置し、照度センサ３００から得られる照度の測定値が第１変化量変化する度に、ベースライトの調光率を一定量変化させ、照度センサ３００から得られる照度の測定値が第２変化量変化する度に、スポットライトの調光率を一定量変化させることにより、床面や作業面の照度ではなく、外光の量を検出し、それに応じて、照明器具６０を制御することが可能となる。このため、高天井等、床面や作業面の照度が正確に検出できない場合であっても、照明器具６０を適切に調光することができる。
【００８９】
なお、第１変化量及び第２変化量の代わりに、昼光量（照度センサ３００から得られる照度の測定値）に対する調光率の変化率を設定してもよい。その場合、記憶部１５０には、昼光量に対するベースライトの調光率の変化率が第１変化率として記憶され、昼光量に対するスポットライトの調光率の変化率が第２変化率として記憶される。図２６に示すように、制御部１３０は、昼光量（照度センサ３００から得られる照度の測定値）に応じた第１変化率で変化させた調光率（図２６における出力２）でベースライトを調光するためのＰＷＭ信号（調光信号）を生成してポート６１０から出力する。また、制御部１３０は、昼光量（照度センサ３００から得られる照度の測定値）に応じた第２変化率で変化させた調光率（図２６における出力１）でスポットライトを調光するためのＰＷＭ信号（調光信号）を生成してポート６２０から出力する。即ち、制御部１３０は、昼光量に応じて出力１及び出力２を制御する。これにより、床面や作業面の照度ではなく、外光の量を検出し、それに応じて、照明器具６０を制御することが可能となる。
【００９０】
ユーザが、携帯端末７１（外部の装置）の画面にて個別制御モードを選択した場合、あるいは、遠隔制御装置８０（外部の装置）の画面にて個別制御モードを選択した場合、照明制御装置１００の入力部１１０、計算部１２０、制御部１３０は、他のモードの場合と同様に、個別制御モードに応じた処理を行う。照明制御装置１００のタイマ部１４０は、タイマ制御が設定された場合に用いられる累積運転時間等を計測する。
【００９１】
以上説明したように、本実施の形態において、照明制御装置１００の制御部１３０は、第１照明器具がポート６１０に接続され、第２照明器具がポート６２０に接続された状態では、調光信号をポート６１０，６２０のそれぞれから出力することで、第１照明器具と第２照明器具とを個別に調光することができる。また、制御部１３０は、第１光源及び第２光源が取り付けられた第３照明器具がポート６１０，６２０の両方に接続された状態では、調光信号をポート６１０，６２０のそれぞれから出力することで、第１光源と第２光源とを個別に調光することができる。つまり、本実施の形態では、ポート６１０，６２０を、異なる照明器具６０を個別に調光する用途と、同じ照明器具６０の異なる光源を個別に調光する用途との両方に兼用することができる。
【００９２】
実施の形態２．
本実施の形態について、主に実施の形態１との差異を説明する。
本実施の形態に係るコントローラ１０の構成は、図１に示した実施の形態１のものと同様である。
【００９３】
照明制御装置１００は、例えば、利用者により、照明器具６０において実現したい色温度及び明るさが指定された場合、色温度制御モードで動作する。利用者は、遠隔制御装置８０あるいは携帯端末７１等を用いて、色温度及び明るさを指定する。
以下において、指定された色温度を目標色温度とし、指定された明るさを目標出力として説明する。
【００９４】
まず、色温度制御モードで照明制御装置１００が動作する際のコントローラ１０について説明する。照明器具６０には、白色ＬＥＤ（第１光源）が接続されているもの、電球色ＬＥＤ（第２光源）が接続されているものがあるとする。例えば、ポート６１０（出力１）に白色ＬＥＤ（第１光源）の照明器具６０が接続され、ポート６２０（出力２）に電球色ＬＥＤ（第２光源）の照明器具６０が接続されているものとする。
【００９５】
白色ＬＥＤと電球色ＬＥＤとの色温度は異なる。例えば、白色ＬＥＤの色温度は５０００Ｋ、電球色ＬＥＤの色温度は３０００Ｋである。
また、白色ＬＥＤと電球色ＬＥＤとは、同一出力時の光束が異なるものとする。例えば、１００％出力時（最大出力時）の白色ＬＥＤの光束は２９４０ｌｍ、１００％出力時の電球色ＬＥＤの光束は２３８０ｌｍとする。以下において、１００％出力時の光束を最大光束とする。
【００９６】
利用者が指定できる目標色温度の範囲は、例えば、３，０００Ｋ〜５，０００Ｋとする。ただし、目標色温度の範囲は、上記範囲に限られず、例えば、２，７００Ｋ〜６，５００Ｋまで、あるいは、その他の範囲でも構わない。
また、利用者が指定できる目標出力の範囲は、０％〜１００％とする。ただし、目標出力の範囲は、上記範囲に限られず、例えば、１０％〜９０％まで、あるいは、その他の範囲でも構わない。
【００９７】
次に、色温度制御モード時の照明制御装置１００の動作について説明する。
【００９８】
照明制御装置１００の記憶部１５０は、パラメータ記憶部１５２１を備える。
パラメータ記憶部１５２１には、色温度を変化させる制御処理（色温度可変制御処理）に必要なパラメータが設定される。
【００９９】
図１１は、本実施の形態に係るパラメータ記憶部１５２１の構成を示す図である。
図１１に示すように、パラメータ記憶部１５２１には、（１）白色ＬＥＤの色温度Ｋ１（第１色温度）、（２）電球色ＬＥＤの色温度Ｋ２（第２色温度）、（３）目標色温度Ｋ３（実現する色温度）、（４）白色ＬＥＤの最大光束Ｌ１（第１最大光束）、（５）電球色ＬＥＤの最大光束Ｌ２（第２最大光束）、（６）器具最大光束値Ｌ３、（７）目標出力Ｄ３、（８）白色ＬＥＤの調光率Ｄ１（第一調光率）、（９）電球色ＬＥＤの調光率Ｄ２（第２調光率）が設定される。
【０１００】
（１）白色ＬＥＤの色温度Ｋ１は、外部の装置（例えば、遠隔制御装置８０あるいは携帯端末７１）を用いて、外部から設定される。（２）電球色ＬＥＤの色温度Ｋ２は、外部の装置（例えば、遠隔制御装置８０あるいは携帯端末７１）を用いて、外部から設定される。
ここでは、白色ＬＥＤの色温度Ｋ１は５０００Ｋ、電球色ＬＥＤの色温度Ｋ２は３０００Ｋと設定されたものとする。
接続される照明器具６０が異なれば、白色ＬＥＤ、電球色ＬＥＤの色温度が異なる場合がある。このため、（１）白色ＬＥＤの色温度Ｋ１及び（２）電球色ＬＥＤの色温度Ｋ２は、外部から設定することができる構成とする。
【０１０１】
（３）目標色温度Ｋ３は、利用者が遠隔制御装置８０あるいは携帯端末７１を用いて指定する。指定できる目標色温度の範囲は、３，０００Ｋ〜５，０００Ｋであり、ここでは、４０００Ｋと指定されたものとする。
【０１０２】
（４）白色ＬＥＤの最大光束Ｌ１は、外部の装置（例えば、遠隔制御装置８０あるいは携帯端末７１）を用いて、外部から設定される。（５）電球色ＬＥＤの最大光束Ｌ２は、外部の装置（例えば、遠隔制御装置８０あるいは携帯端末７１）を用いて、外部から設定される。
ここでは、白色ＬＥＤの最大光束Ｌ１は２９４０ｌｍ、電球色ＬＥＤの最大光束Ｌ２は２３８０ｌｍと設定されたものとする。
ＬＥＤの光束は、実力値であるため、１００％出力時でもＬＥＤの明るさはそれぞれ異なる。したがって、接続される照明器具、ＬＥＤが異なれば、白色ＬＥＤ、電球色ＬＥＤの最大光束も異なるので、接続される照明器具に応じた最大光束を外部から設定する。
【０１０３】
上述したように、（１）白色ＬＥＤの色温度Ｋ１、（２）電球色ＬＥＤの色温度Ｋ２、（４）白色ＬＥＤの最大光束Ｌ１、（５）電球色ＬＥＤの最大光束Ｌ２の値は、外部から設定可能である。
【０１０４】
ここで、外部から（１）（２）（４）（５）の値を設定する際の、コントローラ１０の動作について説明する。
利用者により、外部から遠隔制御装置８０あるいは携帯端末７１を用いて、（１）白色ＬＥＤの色温度Ｋ１、（２）電球色ＬＥＤの色温度Ｋ２に値を設定する要求である色温度値設定要求が送信される。
遠隔制御装置８０を用いた場合、無線送受信回路８００は、遠隔制御装置８０（リモートコントローラなど）からの色温度値設定要求を受信し、照明制御装置１００に送信する。
携帯端末７１を用いた場合、有線送受信回路７００は、携帯端末７１からの色温度値設定要求を無線ＬＡＮアダプタ７０経由で受信し、照明制御装置１００に送信する。
照明制御装置１００の入力部１１０は、色温度値設定要求を入力し、記憶部１５０に出力する。
記憶部１５０は、入力部１１０から入力された色温度値設定要求に基づいて、（１）白色ＬＥＤの色温度Ｋ１、あるいは（２）電球色ＬＥＤの色温度Ｋ２に値を設定する。
【０１０５】
また、利用者により、外部から遠隔制御装置８０あるいは携帯端末７１を用いて、（４）白色ＬＥＤの最大光束Ｌ１、（５）電球色ＬＥＤの最大光束Ｌ２に値を設定する要求である光束値設定要求が送信される。
無線送受信回路８００は、遠隔制御装置８０からの光束値設定要求を受信し、照明制御装置１００に送信する。
有線送受信回路７００は、携帯端末７１からの光束値設定要求を無線ＬＡＮアダプタ７０経由で受信し、照明制御装置１００に送信する。
照明制御装置１００の入力部１１０は、光束値設定要求を入力し、記憶部１５０に出力する。
記憶部１５０は、入力部１１０から入力された光束値設定要求に基づいて、（４）白色ＬＥＤの最大光束Ｌ１、（５）電球色ＬＥＤの最大光束Ｌ２に値を設定する。
【０１０６】
（６）器具最大光束値Ｌ３には、白色ＬＥＤの最大光束Ｌ１と、電球色ＬＥＤの最大光束Ｌ２とのうち、高い方の値が設定される。したがって、ここでは、器具最大光束値Ｌ３には２９４０ｌｍが設定される。
【０１０７】
（７）目標出力Ｄ３には、利用者により遠隔制御装置８０あるいは携帯端末７１を用いて指定された目標出力が設定される。
指定できる目標出力の範囲は、０％〜１００％であり、ここでは、５０％と指定されたものとする。ただし、目標出力の範囲は、上記範囲に限られない。
【０１０８】
（８）白色ＬＥＤの調光率Ｄ１、（９）電球色ＬＥＤの調光率Ｄ２には、照明器具６０の色温度が目標色温度Ｋ３となり、照明器具６０の出力（明るさ）が目標出力Ｄ３となるための、白色ＬＥＤの調光率Ｄ１及び電球色ＬＥＤの調光率Ｄ２が設定される。
照明制御装置１００の計算部１２０は、パラメータ記憶部１５２１に設定された（１）〜（７）の値を用いて、白色ＬＥＤの調光率Ｄ１及び電球色ＬＥＤの調光率Ｄ２を処理装置により算出し、算出した値を（８）白色ＬＥＤの調光率Ｄ１、（９）電球色ＬＥＤの調光率Ｄ２に設定する。
【０１０９】
図１２は、本実施の形態に係る照明制御装置１００による色温度可変制御処理のフローチャートである。
Ｓ２０１において、入力部１１０は、目標色温度Ｋ３と目標出力Ｄ３とを入力し、パラメータ記憶部１５２１の目標色温度Ｋ３と目標出力Ｄ３とに設定する。
【０１１０】
Ｓ２０２において、計算部１２０は、パラメータ記憶部１５２１の（１）〜（７）の設定値を用いて、下記の連立方程式（式１）（式２）を満たす解Ｄ１，Ｄ２を処理装置により算出する。
【０１１１】
（式１）Ｌ１×Ｄ１＋Ｌ２×Ｄ２＝Ｌ３×Ｄ３
（式２）（Ｌ１／Ｌ３）×Ｄ１×（Ｋ３−Ｋ１）＝（Ｌ２／Ｌ３）×Ｄ２×（Ｋ２−Ｋ３）
（式２）を変形すると、以下の式となる。
Ｄ１＝（Ｌ２×Ｄ２×（Ｋ２−Ｋ３））／（Ｌ１×（Ｋ３−Ｋ１））＝（Ｌ２／Ｌ１）×（（Ｄ２×（Ｋ２−Ｋ３））／（Ｋ３−Ｋ１））
（式２）を変形すると、以下の式となる。
Ｄ１×（Ｋ３−Ｋ１）＝（Ｌ２／Ｌ１）×Ｄ２×（Ｋ２−Ｋ３）
【０１１２】
（式１）は、照明器具の光束についての等式である。（式１）において、Ｌ１×Ｄ１は白色ＬＥＤの光束、Ｌ２×Ｄ２は電球色ＬＥＤの光束である。白色ＬＥＤの光束と電球色ＬＥＤの光束とを加算した光束が、照明器具の光束値となる。したがって、（式１）では、照明器具の光束値が、器具最大光束値Ｌ３に目標出力Ｄ３を乗算したものとなる。
【０１１３】
（式２）は、照明器具の色温度についての等式である。（式２）の変形式に示すように、（式２）では、白色ＬＥＤの最大光束Ｌ１と電球色ＬＥＤの最大光束Ｌ２との比（Ｌ２／Ｌ１）を用いて、照明器具の色温度についての等式を、より正確に表している。
【０１１４】
計算部１２０は、算出したＤ１，Ｄ２を、パラメータ記憶部１５２１の（８）〜（９）に設定する。
【０１１５】
具体例を用いて説明する。
連立方程式（式１）（式２）に、図１１の（１）〜（７）の値を代入すると、以下の連立方程式（式１）（式２）となる。
（式１）２９４０×Ｄ１＋２３８０×Ｄ２＝２９４０×０．５
（式２）（２９４０／２９４０）×Ｄ１×（４０００−５０００）＝（２３８０／２９４０）×Ｄ２×（３０００−４０００）
連立方程式（式１）（式２）の解は、Ｄ１＝０．２５、Ｄ２＝０．３となる。
計算部１２０は、算出したＤ１＝０．２５、Ｄ２＝０．３を、パラメータ記憶部１５２１の（８）〜（９）に設定する。
つまり、計算部１２０により、白色ＬＥＤの調光率Ｄ１は２５％、電球色ＬＥＤの調光率Ｄ２は３０％と算出されたことになる。
【０１１６】
Ｓ２０３において、制御部１３０は、パラメータ記憶部１５２１の（８）〜（９）の値に基づいて、白色ＬＥＤを調光率Ｄ１とし、電球色ＬＥＤを調光率Ｄ２とする制御信号を生成する。具体例では、制御部１３０は、白色ＬＥＤの調光率Ｄ１を２５％、電球色ＬＥＤの調光率Ｄ２を３０％とする制御信号を生成する。制御部１３０は、生成した制御信号をＰＷＭ増幅回路６００に出力する。
以上で、照明制御装置１００の色温度可変制御処理を終了する。
【０１１７】
ＰＷＭ増幅回路６００（調光回路）は、入力した制御信号に基づいて、ＰＷＭ信号（調光信号）を生成し、照明器具６０に送信する。
照明器具６０の白色ＬＥＤは調光率Ｄ１（２５％）に調光され、電球色ＬＥＤは調光率Ｄ２（３０％）に調光される。その結果、照明器具６０は、色温度が目標色温度Ｋ３（４０００Ｋ）になるとともに、目標出力Ｄ３（５０％）にしたがった明るさ（光束）（１４７０ｌｍ）になる。
【０１１８】
次に、具体例を用いて、目標色温度Ｋ３を４０００Ｋに制御する場合の器具最大光束値Ｌ３の求め方の一例について説明する。
【０１１９】
（式２）に図１１の（１）〜（５）を代入する。
（式２）２９４０×Ｄ１×（４０００−５０００）＝２３８０×Ｄ２×（３０００−４０００）
ここで、目標出力Ｄ３が５０％であるため、白色ＬＥＤの調光率Ｄ１を５０％として、（式２）を用いてＤ２を算出する。
Ｄ２＝２９４０×０．５×（４０００−５０００）／２３８０×（３０００−４０００）＝０．６１８
目標色温度Ｋ３を４０００Ｋに制御する場合、白色ＬＥＤの調光率Ｄ１を５０％とすると、電球色ＬＥＤの調光率Ｄ２は、６１．８％となる。
【０１２０】
白色ＬＥＤの調光率Ｄ１を５０％、電球色ＬＥＤの調光率Ｄ２を６１．８％とした場合の照明器具６０の光束Ｌ’を計算する。
Ｌ’＝Ｌ１×Ｄ１＋Ｌ２×Ｄ２＝２９４０×０．５＋２３８０×０．６１８＝２９４０（ｌｍ）
この値は、白色ＬＥＤのみを１００％出力で点灯した場合の最大光束Ｌ３（２９４０ｌｍ）と同等となる。このように算出されるＬ’を、照明器具６０を４０００Ｋに制御した場合の器具最大光束値Ｌ３としてもよい。
【０１２１】
器具最大光束値Ｌ３は、例えば、目標出力Ｄ３を１００％とした場合に実現する照明器具６０の光束であり、上記以外の設定方法で設定しても構わない。
【０１２２】
通常、照明器具において、目標出力にしたがって明るさ（光束）が増減する。すなわち、目標出力を５０％にすると、明るさ（光束）も約５０％となる。しかし、照明器具が、白色ＬＥＤと電球色ＬＥＤとを備えるものである場合、白色ＬＥＤと電球色ＬＥＤとの最大光束（１００％出力時の光束）が異なる場合がある。白色ＬＥＤと電球色ＬＥＤとの最大光束（１００％出力時の光束）が異なると、利用者が指定した目標色温度及び目標出力を正確に実現することができない場合があった。
【０１２３】
しかし、本実施の形態に係るコントローラ１０によれば、白色ＬＥＤと電球色ＬＥＤとの光束の違いを考慮して、白色ＬＥＤと電球色ＬＥＤとの最大光束の比を用いて白色ＬＥＤと電球色ＬＥＤとの調光率Ｄ１，Ｄ２を算出しているので、利用者が指定した目標色温度及び目標出力を正確に実現することができる。
【０１２４】
また、本実施の形態では、白色ＬＥＤの色温度Ｋ１、電球色ＬＥＤの色温度Ｋ２、白色ＬＥＤの最大光束Ｌ１、電球色ＬＥＤの最大光束Ｌ２は、外部から設定することが可能であるため、照明器具が壊れるなどして、照明器具を交換した場合であっても、交換後の照明器具応じた色温度、最大光束を外部から設定することができ、交換後の照明器具でも正確に目標色温度、目標出力を実現することができる。
【０１２５】
実施の形態３．
本実施の形態について、主に実施の形態１，２との差異を説明する。
本実施の形態に係るコントローラ１０の構成は、図１に示した実施の形態１のものと同様である。
【０１２６】
照明制御装置１００は、利用者により、遠隔制御装置８０、携帯端末７１等を用いて、スケジュールの実行が指示された場合、照明器具６０に対してスケジュール制御を実行する。
本実施の形態では、照明制御装置１００が実行するスケジュール制御方式について説明する。
【０１２７】
本実施の形態に係るコントローラ１０では、照明器具６０、照度センサ３００、人感センサ４００に対してスケジュールを設定することができる。
スケジュールを設定するとは、照明器具６０の状態及び動作、照度センサ３００の状態及び動作、人感センサ４００の状態及び動作を、予め定められたスケジュールにしたがって、設定及び実行させることである。「照明器具６０の状態」との記載には、照明器具６０の状態及び動作、照度センサ３００の状態及び動作、人感センサ４００の状態及び動作が含まれるものとする。
照明制御装置１００は、照明器具６０、照度センサ３００、人感センサ４００に対して設定されたスケジュールに基づいて、スケジュール制御処理を実行する。
スケジュールの設定方法には、例えば、各曜日にスケジュールを設定する週間スケジュール設定、１年間のうちの所定日にスケジュールを設定する年間スケジュール設定がある。
また、スケジュールには、時刻を指定して実行する時刻モードのスケジュール（以下、時刻スケジュールとする）と、経過時間を指定して実行するタイマモードのスケジュール（以下、タイマスケジュールとする）とがある。
【０１２８】
まず、時刻スケジュールの設定方式について説明する。
照明制御装置１００は、記憶部１５０に、時刻スケジュール設定部１５３１、シーン記憶部１５３２を備える。
図１３は、本実施の形態に係る時刻スケジュール設定部１５３１の構成の一例を示す図である。図１４は、本実施の形態に係るシーン記憶部１５３２の一例を示す図である。
【０１２９】
図１３に示すように、時刻スケジュール設定部１５３１には、時刻モードで設定された４つの時刻スケジュールＪＳ１〜ＪＳ４が設定されている。時刻スケジュール設定部１５３１に記憶される時刻スケジュールの数は、４つ以上でもよいし、４つ以下でもよい。
【０１３０】
時刻スケジュールは、時刻とシーンとが対応付けられている。
例えば、時刻スケジュールＪＳ１は、８：００からシーン２を実行し、１０：００からシーン３を実行し、１５：００からシーン３を実行し、１８：００からシーン３を実行し、２０：００からシーン２を実行し、２３：００からシーン１を実行することを意味する。
【０１３１】
時刻スケジュール設定部１５３１は、遠隔制御装置８０あるいは携帯端末７１等を用いて、利用者により設定される。また、遠隔制御装置８０あるいは携帯端末７１等を用いて、時刻スケジュール設定部１５３１に記憶されている設定値を削除、変更することも可能である。
また、時刻スケジュール毎に、時刻及びシーンを１０個設定できるものとし、１０個以上設定しようとした場合には受け付けないとしてもよい。時刻スケジュール毎に設定できる時刻及びシーンの数は、１０個以上でも１０個以下でもよい。
【０１３２】
シーン記憶部１５３２には、複数のシーンが定義されている。図１４にシーンＸ（Ｘ＝１，２，・・・、６）とあるように、例えば、シーン１〜６の６つのシーンが設定されているが、シーン記憶部１５３２に記憶されるシーンの数は、６つ以上でもよいし、６つ以下でもよい。
【０１３３】
シーンとは、照明器具６０の照度、色温度、及び動作、照度センサ３００の状態、モード、及び動作、人感センサ４００の状態、モード、及び動作などにより定義される照明器具６０の状態である。あるいは、照明器具６０の状態及び周囲の状況である。
シーン記憶部１５３２には、各シーン毎に、実現する照明器具６０の状態（照度、色温度、調光率、動作など）、人感センサ４００、照度センサ３００の状態等が定義される。
図１４に示すように、各シーン毎に、例えば、目標調光率、目標照度、照度センサ、上限調光率、下限調光率、不在調光率、フェードイン時間、フェードアウト時間、人感センサモード、人感センサ保持時間、不在フェード時間、ＯＦＦディレー時間、色温度の項目を有する。
図１４では、シーン記憶部１５３２の各項目に設定される具体的な値の一例を示している。
【０１３４】
シーン記憶部１５３２は、予め各項目の設定値が設定されているものとする。ただし、遠隔制御装置８０あるいは携帯端末７１等を用いて、利用者により設定することができるとしてもよい。
【０１３５】
次に、時刻スケジュール設定部１５３１に設定された時刻スケジュールを用いて、週間スケジュール、年間スケジュールを設定する機能について説明する。
照明制御装置１００は、記憶部１５０に、週間スケジュール１５３３、年間スケジュール１５３４を備える。
図１５は、本実施の形態に係る週間スケジュール１５３３の一例を示す図である。図１６は、本実施の形態に係る年間スケジュール１５３４の一例を示す図である。
【０１３６】
図１５に示すように、週間スケジュール１５３３は、日曜日から土曜日までの各曜日に対し、時刻スケジュールのパターン４つ（ＪＳ１〜ＪＳ４）のいずれかが割当てられる。
週間スケジュール１５３３は、例えば、遠隔制御装置８０あるいは携帯端末７１等を用いて、利用者により設定される。
【０１３７】
以下に、週間スケジュール１５３３の設定方法の一例を記載する。
曜日に、「ＪＳ−」を割当てるとその曜日はＮＵＬＬになる。
モニタ要求は曜日の要求に対しスケジュールパターン（ＪＳ１〜ＪＳ４およびＪＳ−）を返す。
スケジュール曜日割当てリセット要求（曜日表示時リセット受信）があった場合、対象となる曜日のスケジュールパターンが削除（ＮＵＬＬ）される。
スケジュールパターンが設定されていないスケジュールを割当てても、割当てた当日分はスケジュールを実行しないものとする。前日のスケジュールを継続する。
【０１３８】
図１６に示すように、年間スケジュール１５３４は、月日に対し、シーンを設定できる。例えば、年間で所定日分（例えば、３０日分）シーンを設定できるとしてもよい。年間スケジュール１５３４で指定された日は、週間スケジュールではなく、年間スケジュールを優先して実行する。これにより、祝日などの特定日には、特別のシーンを割り当てることが可能となる。
年間スケジュール１５３４は、例えば、遠隔制御装置８０あるいは携帯端末７１等を用いて、利用者により設定される。
【０１３９】
次に、照明制御装置１００による時刻スケジュール運転（時刻スケジュール制御方式）について説明する。
時刻スケジュール運転の概要について以下に説明する。
照明制御装置１００は、時刻スケジュール実行指示を受信した場合、タイマ部１４０を用いて時刻スケジュール運転する。
デフォルト、すなわち、時刻スケジュール実行指示を受信していない場合は、時刻スケジュール運転はしない。
照明制御装置１００は、時刻スケジュール解除指示を受信した場合、時刻スケジュール運転を解除し、現在実行しているモード（制御状態）を継続する。
【０１４０】
時刻スケジュール実行指示、あるいは時刻スケジュール解除指示は、利用者による遠隔制御装置８０、携帯端末７１等の操作によりコントローラ１０に送信される。
【０１４１】
照明制御装置１００は、時刻スケジュール実行指示、あるいは時刻スケジュール解除指示を受信する。
照明制御装置１００は、時刻スケジュール実行指示を入力すると、記憶部１５０に記憶されている週間スケジュール１５３３、年間スケジュール１５３４にしたがって、時刻スケジュール運転を実行する。
【０１４２】
以下に、本実施の形態に係るコントローラ１０の時刻スケジュール運転の運用方式の一例について記載する。
（１）接点入力、調光器操作、マニュアル操作が優先されるものとする。時刻スケジュール運転中に設定を行ったら設定モードに移行する。設定モードでタイムアウトした場合は、時刻スケジュール運転に移行する。
（２）時刻スケジュールが入力されていない曜日（ＮＵＬＬ）があった場合、０：００を境に時刻スケジュール運転は解除される。時刻スケジュール運転が解除されると、時刻スケジュール運転前の動作（通常運転かシーン運転）になる。また、時刻スケジュールが入力されている曜日になれば、時刻スケジュール運転が実行される。このとき、時刻スケジュールに設定されている時刻がきた時に実行される。
（３）時刻スケジュール運転実行中で停電復帰する際は、停電終了後の最新の時刻スケジュールを実行する。
（４）時刻スケジュール運転の起動コマンド（時刻スケジュール実行指示）を受け、人感センサ連動設定の場合は、人感センサの「在」で時刻スケジュール運転を実行し、「不在」で時刻スケジュール運転を停止する。時刻スケジュール運転の起動中に、その他のリモコン操作（マニュアル、自動、シーン、消灯）の操作があると、時刻スケジュール運転は停止状態とし、操作に従い動作する。
（８）利用者からの指定により、特定日スケジュールが実行される場合は、年間スケジュールの一番早い月日に設定された時刻スケジュールを実行する。
【０１４３】
上記は、時刻スケジュール運転の運用方式の一例であり、上記以外の運用方式で時刻スケジュール運転が実行されても構わない。
【０１４４】
次に、タイマモードによるタイマスケジュールを用いたタイマスケジュール制御方式について説明する。
まず、タイマスケジュールの設定方式について説明する。
照明制御装置１００は、記憶部１５０に、タイマスケジュール設定部１５３５（タイマスケジュール）を備える。
図１７は、本実施の形態に係るタイマスケジュール設定部１５３５の構成の一例を示す図である。
タイマスケジュールでは、絶対時間（時刻）を設定するのではなく、相対時間を設定する。
【０１４５】
図１７に示すように、タイマスケジュール設定部１５３５には、タイマモードで設定された４つのパターンであるタイマスケジュールＴＳ１〜ＴＳ４が設定されている。タイマスケジュール設定部１５３５に記憶されるタイマスケジュールの数は、４つ以上でもよいし、４つ以下でもよい。
【０１４６】
タイマスケジュールには、任意の時点からの経過時間と、照明器具６０の状態（シーン）（シーン情報）とが対応付けられて設定される。上述したように、照明器具６０の状態には、照明器具６０の状態及び動作、照度センサ３００の状態及び動作、人感センサ４００の状態及び動作などが含まれる。
タイマスケジュールの開始時刻から設定された経過時間が経過するまで、シーンが実行される。入力する時間は、秒単位とし００分０１秒から２３分５９秒とする。
【０１４７】
例えば、図１７に示すタイマスケジュールＴＳ１は、タイマスケジュールＴＳ１の開始時刻から５９秒までシーン２を実行し、５９秒経過後から１分３０秒までシーン１を実行し、１分３０秒経過後から２分３０秒までシーン３を実行し、２分３０秒経過後から３分１０秒までシーン１を実行し、３分１０秒経過後から４分２０秒までシーン２を実行し、４分２０秒経過後から５分までシーン１を実行し、５分経過後から６分３０秒までシーン３を実行し、６分３０秒経過後から７分１０秒までシーン１を実行し、７分１０秒経過後から８分２０秒までシーン２を実行し、８分２０秒経過後から１５分までシーン１を実行することを意味する。
【０１４８】
タイマスケジュール設定部１５３５は、遠隔制御装置８０あるいは携帯端末７１等を用いて、利用者により設定される。また、遠隔制御装置８０あるいは携帯端末７１等を用いて、タイマスケジュール設定部１５３５に記憶されている設定値を削除、変更することも可能である。
【０１４９】
また、タイマスケジュール毎に、経過時間及びシーンをＮ個設定できるものとし、Ｎ個以上設定しようとした場合には受け付けないとしてもよい。Ｎ個は、例えば、１０個である。タイマスケジュール毎に設定できる経過時間及びシーンの数は、Ｎ個以上でもＮ個以下でもよい。
設定された時間が経過するまで、設定されたシーンを実施する。
【０１５０】
次に、照明制御装置１００によるタイマスケジュール運転（タイマスケジュール制御方式）について説明する。
照明制御装置１００は、タイマスケジュール実行指示を入力した場合に、タイマスケジュール運転を実行する。
入力部１１０は、タイマスケジュールに沿った照明器具６０の制御の実行を指示するタイマスケジュール実行指示を入力する。タイマスケジュール実行指示には、タイマスケジュールを開始する開始時点に関する情報である開始時点関連情報が含まれる。
制御部１３０は、入力部１１０によりタイマスケジュール実行指示が入力されると、タイマスケジュールに沿って照明器具６０を制御する制御命令を出力する。また、入力部１１０によりタイマスケジュール実行指示が入力されると、制御部１３０は、タイマスケジュール実行指示に含まれる開始時点関連情報に基づいて、タイマスケジュールの開始時点を算出し、タイマ部１４０に出力する。
【０１５１】
タイマ部１４０は、コントローラ１０が備えるタイマ機能を用いて、開始時点からの経過時間のカウントを開始する。開始時点を算出するのは、タイマ部１４０でもよいし、入力部１１０でもよい。制御部１３０は、タイマ部１４０が開始時点からカウントしている経過時間に基づいて、タイマスケジュールに沿って照明器具６０を制御する制御命令を出力する。
ＰＷＭ増幅回路６００（調光回路）は、制御部１３０から制御命令を入力し、入力した制御命令に基づいて照明器具６０を制御するＰＷＭ信号（照明制御信号）を生成し、照明器具６０に出力する。
【０１５２】
入力部１１０は、例えば、人感センサ４００の在／不在検知信号、接点の（ＯＮ／ＯＦＦ）状態を示す信号（すなわち、ポートの開閉状態を示す開閉信号）、遠隔制御装置８０や携帯端末７１からの実行要求信号などをタイマスケジュール実行指示として入力する。つまり、タイマスケジュール運転は、人感センサ４００の在／不在、接点のＯＮ／ＯＦＦ、遠隔制御装置８０や携帯端末７１による利用者からの要求をトリガーとして実行される。
【０１５３】
例えば、照明制御装置１００が人感センサ４００から在検知信号を受信すると、タイマスケジュールＴＳ２を実行するもの設定されている場合、入力部１１０は、在検知信号をタイマスケジュール実行指示として入力する。このとき、入力部１１０は、在検知信号を入力した時点を開始時点関連情報として、タイマスケジュール実行指示に付加して、制御部１３０に出力する。あるいは、照明制御装置１００が人感センサ４００から不在検知信号を受信すると、タイマスケジュールＴＳ２の実行を解除するものと設定されている場合、不在検知信号がタイマスケジュール解除指示となる。
【０１５４】
照明制御装置１００は、タイマスケジュール解除指示を受信すると、タイマスケジュール解除指示を受信した時点のシーンを継続するとしてもよい。あるいは、照明制御装置１００は、タイマスケジュール解除指示を受信して、タイマスケジュールが終了した場合は、所定のシーン（例えば、直ちに消灯する、徐々に消灯する等）を実行するものとしてもよい。
【０１５５】
例えば、照明制御装置１００が接点１，２のＯＮ／ＯＦＦの状態（すなわち、ポートの開閉状態を示す信号）を示す開閉信号を入力し、入力した開閉信号から導かれる接点のＯＮ／ＯＦＦの状態に基づいて、タイマスケジュールを実行すると設定されている場合、入力部１１０は、接点のＯＮ／ＯＦＦの状態を示す開閉信号をタイマスケジュール実行指示として入力する。ここで、接点１，２の（ＯＮ／ＯＦＦ）と、ポート５１０，５２０の（閉／開）とは対応するものとする。
このとき、入力部１１０は、開閉信号を入力した時点を開始時点関連情報として、タイマスケジュール実行指示に付加して、制御部１３０に出力する。
あるいは、入力した接点のＯＮ／ＯＦＦの状態がタイマスケジュールＴＳ２の実行を解除するものと設定されている場合、接点のＯＮ／ＯＦＦの状態を示す信号はタイマスケジュール解除指示となる。
【０１５６】
あるいは、直接、遠隔制御装置８０や携帯端末７１にからタイマスケジュール実行指示、タイマスケジュール解除指示を受信するものでもよい。
【０１５７】
照明制御装置１００によるタイマスケジュール運転の動作概要について以下に説明する。
入力部１１０は、タイマスケジュール実行指示を入力すると、入力したタイマスケジュール実行指示を制御部１３０に出力する。
制御部１３０は、入力部１１０からタイマスケジュール実行指示を入力すると、入力したタイマスケジュール実行指示に対応するタイマスケジュールを記憶部１５０のタイマスケジュール設定部１５３５から抽出し、抽出したタイマスケジュールを実行する。
【０１５８】
図１８は、人感センサ４００をトリガとしてタイマスケジュールＴＳ２が実行されるタイマスケジュール運転を説明するためのタイムチャートである。
図１８では、具体例を用いて、タイマスケジュール運転について説明する。
ここでは、照明制御装置１００は、人感センサ４００の在検知信号をタイマスケジュール実行指示として入力し、タイマスケジュールＴＳ２（図１７）を実行するものとする。また、照明制御装置１００は、人感センサ４００の不在検知信号をタイマスケジュール解除指示として入力し、タイマスケジュールＴＳ２の実行を解除するものとする。
【０１５９】
図１８に示すように、人感センサ４００は、Ｔ１時点において在検知し、Ｔ５時点において不在検知するものとする。
入力部１１０は、Ｔ１で人感センサ４００の在検知信号をタイマスケジュール実行指示として入力する。
入力部１１０がタイマスケジュール実行指示を入力すると、タイマ部１４０がカウントを開始する。Ｔ１時点を開始時点とする。タイマ部１４０がカウントを開始するとともに、制御部１３０がタイマスケジュールＴＳ２の実行を開始する。
【０１６０】
（ａ）照明制御装置１００は、Ｔ１〜Ｔ２までの１０秒間、シーン２を実行する。
（ｂ）照明制御装置１００は、Ｔ２〜Ｔ３までの１２秒間、シーン１を実行する。
（ｃ）照明制御装置１００は、Ｔ３〜Ｔ４までの８秒間、シーン３を実行する。
（ｄ）照明制御装置１００は、Ｔ４からシーン４を開始し、Ｔ５で人感センサ４００が不在検知信号をスケジュール解除指示として入力するまでの５秒間、シーン４を実行する。
照明制御装置１００は、Ｔ５でタイマスケジュール解除指示を入力すると、タイマスケジュール運転（タイマモード）を解除し、照明器具をタイマスケジュール運転が開始される前の状態に戻す。
【０１６１】
具体的運用に上記（ａ）〜（ｄ）をあてはめると、以下の（ａ１）〜（ｄ１）になる。
例えば、美術館などで美術品を照明する照明器具６０に、タイマスケジュール運転（タイマモード）が設定されているとする。この照明器具６０は、通常は消灯しているものとする。美術品の前に人が来ると、人感センサ４００が在検知し、タイマスケジュールＴＳ２を実行することにより以下の（ａ１）〜（ｄ１）のような照明器具６０によるデモンストレーションを実現することができる。
【０１６２】
（ａ１）人が来ると５０００Ｋの色温度で点灯し、開始時点から１０秒間かけて徐々に出力１００％の明るさとなる（シーン２）。
（ｂ１）その後、５０００Ｋの色温度のまま出力１００％の明るさが１２秒間継続する（シーン１）。
（ｃ１）次に、８秒間かけて明るさが徐々に出力５０％まで低下し、色温度も徐々に電球色に変化する（シーン３）。
（ｄ１）その後、明るさは出力５０％に維持され、色温度は徐々に低下し、さらに電球色に近づく（シーン４）。
図１８のタイムチャートでは、シーン４の開始から５秒後にタイマスケジュール解除指示（即ち、不在検知信号）を入力するので、タイマスケジュール運転を解除して照明器具を消灯する。
【０１６３】
このように、タイマスケジュール運転を、時刻スケジュール運転に優先させて実行することにより、より演出性の高い照明器具を提供することができる。
【０１６４】
次に、照明制御装置１００が接点の開閉の状態を示す開閉信号を入力し、入力した接点のＯＮ／ＯＦＦの状態に基づいて、タイマスケジュール運転を実行する方法について説明する。
【０１６５】
ここで、接点の開閉（ＯＮ／ＯＦＦ）の状態と連動する機能の具体例について説明する。
コントローラ１０は、２つのポート５１０，５２０を備え、制御信号により入力・出力を切替えて使用する。接点入出力回路５００は、２つのポート５１０，５２０を介して外部の接点１及び接点２に接続される。２つのポート５１０，５２０の入力出力の切替は、遠隔制御装置８０あるいは携帯端末７１より設定する。入力出力は、ポート毎に設定可能とし、組合せ設定の場合は２つのポート同時に使用する。例えば、接点入力において、アクティブになると接点連動を実行し、非アクティブになるとアクティブ前の制御状態に移行するように設定する。
【０１６６】
＜スケジュール起動連動＞
スケジュール起動連動は、接点の入力状況（接点入力、ポートの開閉信号に相当する）に応じてタイマスケジュール運転を実行／停止する。あるいは、接点組合せとタイマスケジュールとを対応付けて設定し、接点組合せでタイマスケジュールの選択をすることができる。
【０１６７】
図１９は、ポート単位でのスケジュール起動設定の一例を示す図である。
図２０は、ポート組合せでのスケジュール起動設定の一例を示す図である。
図１９〜図２０の設定データは、例えば、遠隔制御装置８０あるいは携帯端末７１を用いて設定することができる。遠隔制御装置８０あるいは携帯端末７１を用いて入力された図１９〜図２０の設定データは、入力部１１０が入力し、記憶部１５０に記憶される。
ここでは、アクティブ「Ｌ」で信号を処理する正論理を用いているが、出力論理は、アクティブ「Ｈ」で信号を処理する負論理で設定しても良い。
以下の説明において、接点あるいはポートの状態として、「Ｌ」と「閉」と「ＯＮ」とが対応し、「Ｈ」と「開」と「ＯＦＦ」とが対応する。
【０１６８】
接点１または接点２の開閉状態で、タイマスケジュールを動作・停止する。例えば、接点１が閉のときタイマスケジュールを実行し、接点１が開のときタイマスケジュールを実行するとしても良い。
図１９に示すように、例えば、接点２が閉のときタイマスケジュールＴＳ２を実行し、接点２が閉のときタイマスケジュールＴＳ１を実行する設定としても良い。
【０１６９】
図２０に示すように、接点の組合せに対して制御内容を設定することもできる。例えば、「接点１が開、接点２が開」のとき通常運転、「接点１が閉、接点２が開」のときタイマスケジュールＴＳ１を実行、「接点１が開、接点２が閉」のときタイマスケジュールＴＳ２を実行、「接点１が閉、接点２が閉」のときタイマスケジュールＴＳ３を実行すると設定しても良い。
【０１７０】
＜接点入力シーン連動＞
接点入力とシーンの実行とが連動する場合（接点入力シーン連動）について説明する。
接点入力シーン連動は、機能が接点入力となっている場合のみ有効とする。
接点入力シーン連動は、接点の入力状況に応じてシーンを実行する。接点組合せの場合、デマンド制御として使用することができる。
【０１７１】
図２１は、ポート単位でのシーン実行設定の一例を示す図である。
図２２は、ポート組合せでのシーン実行設定一例を示す図である。
図２３は、接点に対する優先順位の一例を示す図である。
図２１〜図２３の設定データは、例えば、遠隔制御装置８０あるいは携帯端末７１を用いて設定することができる。遠隔制御装置８０あるいは携帯端末７１を用いて入力された図２１〜図２３の設定データは、入力部１１０が入力し、記憶部１５０に記憶される。
【０１７２】
シーン実行後、通常運転にしたとき接点入力があれば、その接点入力に対応するシーンが実行される。
出力論理は、正論理でも負論理でも構わない。
【０１７３】
接点入力シーン連動の運用例は、例えば、以下の（ア）（イ）ように、接点１の開閉により不在時のシーン（動作モード）を変更するものがある。
（ア）接点１が「Ｈ」（ＯＦＦ）（開）のとき、通常運転（残置モード、不在時調光率１０％）
（イ）接点１が「Ｌ」（ＯＮ）（閉）のとき、シーン１実行（省エネモード、不在時調光率１０％、ＯＦＦディレー時間６０秒）
【０１７４】
以上、シーンと接点入力との連動、及びタイマスケジュールと接点入力との連動は、コントローラ１０において接点入力機能が選択されている場合にのみ有効とする。
次に、照明制御システム９００の状態に合わせて、接点を開閉する出力連動機能の具体例について簡単に説明する。
【０１７５】
＜シーン実行状態出力＞
シーン実行状態に応じて対応する接点を開閉する。シーン実行状態出力は、コントローラ１０において接点出力機能が選択されている場合にのみ有効とする。
図２４は、ポート単位でのシーン実行状態出力の一例を示す図である。
図２５は、ポート組合せでのシーン実行状態出力の一例を示す図である。
図２４〜図２５の設定データは、例えば、遠隔制御装置８０あるいは携帯端末７１を用いて設定することができる。遠隔制御装置８０あるいは携帯端末７１を用いて入力された図２４〜図２５の設定データは、入力部１１０が入力し、記憶部１５０に記憶される。
出力論理は、正論理でも負論理でも設定可能とする。
【０１７６】
＜点灯消灯状態出力＞
点灯消灯状態出力は、ＰＷＭ調光信号の状態に応じて対応する接点を開閉する。出力ポート単位のみの動作である。ＰＷＭ調光信号の動作状態で接点１または接点２を開閉する。
点灯消灯状態出力は、例えば、以下のように運用する。
（ア）ＰＷＭ出力１は接点１に対応。「自動」のとき「閉」、「消灯」のとき「開」。
（イ）ＰＷＭ出力２は接点２に対応。「自動」のとき「閉」、「消灯」のとき「開」。
出力論理は、正論理でも負論理でも設定可能とする。
【０１７７】
＜人感センサ状態出力＞
人感センサ４００の在／不在状態に応じて、接点１または接点２を開閉する。出力ポート単位のみの動作である。
人感センサ状態出力は、例えば、以下のように運用する。
（ア）人感センサ「在」のとき、接点１または接点２は「閉」
（イ）人感センサ「不在」のとき、接点１または接点２は「開」
出力論理は、正論理でも負論理でも設定可能とする。
【０１７８】
＜照度センサ状態出力＞
照度センサ３００の明／暗状態に応じて、対応する接点を開閉する。出力ポート単位のみの動作である。照度センサ３００の明／暗状態（目標照度を基準とし）で接点１または接点２を開閉する。
照度センサ状態出力は、例えば、以下のように運用する。
（ア）照度センサ「明」のとき、接点１または接点２は「閉」
（イ）照度センサ「暗」のとき、接点１または接点２は「開」
出力論理は、正論理でも負論理でも設定可能とする。
【０１７９】
＜換気扇連動出力＞
換気扇連動出力は、人感センサ状態出力の拡張機能である。人感センサ４００の不在の場合、設定されたディレー時間後に対応する接点を開閉する。また、接点出力と同時に、ＰＷＭ出力２もディレー時間後に制御する。
出力ポート単位のみの動作である。
換気扇連動出力は、例えば、以下のように運用する。
（ア）人感センサ「在」のとき、接点１または接点２は「閉」、人感センサ「不在」のとき、接点１または接点２はディレー時間後に「開」
（イ）人感センサ「在」のとき、ＰＷＭ出力２は「自動」、人感センサ「不在」のとき、ＰＷＭ出力２はディレー時間後に「消灯」
出力論理は、正論理でも負論理でも設定可能とする。
【０１８０】
以上のように、本実施の形態にかかるコントローラ１０では、タイマスケジュール運転を、時刻スケジュール運転に優先させて実行することにより、より演出性の高い照明器具を提供することができる。
また、タイマスケジュール運転は、人感センサの在／不在、接点のＯＮ／ＯＦＦ、利用者からの要求信号等をトリガとして起動するように設定できるので、演出性と省エネ効果との両方を兼ね備えた複雑なスケジュール運転を実現することができる。
【０１８１】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【０１８２】
１０  コントローラ、１１  本体、１２  電源端子台、１３  信号端子台、１４  運転ＬＥＤ、１５  人感ＬＥＤ、１６  出力ＬＥＤ、１７  光Ｉ／Ｆ部、６０  照明器具、７０  無線ＬＡＮアダプタ、７１  携帯端末、８０  遠隔制御装置、１００  照明制御装置、１１０  入力部、１２０  計算部、１３０  制御部、１４０  タイマ部、１５０  記憶部、２００  電源回路、３００  照度センサ、３１０  増幅回路、４００  人感センサ、４１０  増幅回路、５００  接点入出力回路、５１０  ポート、５２０  ポート、６００  ＰＷＭ増幅回路、６１０  ポート、６２０  ポート、７００  有線送受信回路、７１０  ポート、８００  無線送受信回路、９００  照明制御システム、１５２１  パラメータ記憶部、１５３１  時刻スケジュール設定部、１５３２  シーン記憶部、１５３３  週間スケジュール、１５３４  年間スケジュール、１５３５  タイマスケジュール設定部。
【図１】
2018037424.tif 000003
【図２】
2018037424.tif 000004
【図３】
2018037424.tif 000005
【図４】
2018037424.tif 000006
【図５】
2018037424.tif 000007
【図６】
2018037424.tif 000008
【図７】
2018037424.tif 000009
【図８】
2018037424.tif 000010
【図９】
2018037424.tif 000011
【図１０】
2018037424.tif 000012
【図１１】
2018037424.tif 000013
【図１２】
2018037424.tif 000014
【図１３】
2018037424.tif 000015
【図１４】
2018037424.tif 000016
【図１５】
2018037424.tif 000017
【図１６】
2018037424.tif 000018
【図１７】
2018037424.tif 000019
【図１８】
2018037424.tif 000020
【図１９】
2018037424.tif 000021
【図２０】
2018037424.tif 000022
【図２１】
2018037424.tif 000023
【図２２】
2018037424.tif 000024
【図２３】
2018037424.tif 000025
【図２４】
2018037424.tif 000026
【図２５】
2018037424.tif 000027
【図２６】
2018037424.tif 000028